(57)【要約】【課題】小規模育苗作業における育苗容器の搬送が人手による手作業で行うため、重労働であるという課題がある。【解決手段】育苗容器Ａごと所定期間育苗する育苗器１２と、該育苗器１２の近傍所定位の重ね出し装置１０の上下支持枠体２７により播種済みの一枚目育苗容器Ａを一旦持ち上げて待機させ、播種済みの一枚目育苗容器Ａの下に播種済みの二枚目育苗容器Ａを受け入れ、受け入れた二枚目育苗容器Ａに前記上下支持枠体２７ごと一枚目育苗容器Ａを下降させて上下二段に重ねて播種済み育苗容器Ａを積み上げ、二段積み育苗容器Ａを搬送用移送台１１により、播種用移送台１により送り出される後続の二段積み育苗容器Ａにより先行二段積み育苗容器Ａを押して搬送用移送台１１上を移動させて前記育苗器１２にまで搬送し、前記搬送用移送台１１の終端に搬送された播種済み育苗容器Ａを育苗器１２内に搬入して所定期間育苗する播種済み育苗容器搬送方法。【選択図】図１６
2012135216.tif 000002
【特許請求の範囲】
【請求項１】
播種済み育苗容器Ａを所定期間育苗する育苗器１２と、該育苗器１２の近傍所定位置に設置した播種用移送台１との間に重ね出し装置１０および搬送用移送台１１を設置し、播種用移送台１に空の育苗容器Ａを供給して、播種用移送台１により移送中の育苗容器Ａに上方から床土と水と種子と覆土を供給して播種し、播種用移送台１の終端から重ね出し装置１０の早送り移送部１５に播種済み育苗容器Ａを受け渡し、重ね出し装置１０の早送り移送部１５にて受け渡された播種済み育苗容器Ａを早送りして後続の播種済み育苗容器Ａとの間に間隔を形成し、前記早送り移送部１５に受け渡された育苗容器Ａを受け入れる下側待機位置と播種済みの二枚目育苗容器Ａの受入れ可能となる上側待機位置との間往復上下動する、重ね出し装置１０の重ね出し用移送部１６の上下支持枠体２７により播種済みの一枚目育苗容器Ａを一旦持ち上げて支持して待機させ、この播種済みの一枚目育苗容器Ａの下に播種済みの二枚目育苗容器Ａを受け入れ、受け入れた播種済みの二枚目育苗容器Ａに前記上下支持枠体２７ごと播種済みの一枚目育苗容器Ａを下降させて上下二段に重ね、上下二段に重ねた先行の二段積み育苗容器Ａを移送手段２４により搬送用移送台１１の始端部に送り出して搬送用移送台１１に受け渡し、先行の二段重ね育苗容器Ａは重ね出し用移送部１６から送り出された後続の二段重ね育苗容器Ａにより押され、これを反復して、二段積み育苗容器Ａを搬送用移送台１１の終端まで移動させ、前記搬送用移送台１１の終端に搬送された播種済み育苗容器Ａを育苗器１２内に搬入して所定期間育苗する播種済み育苗容器搬送方法。
【請求項２】
請求項１において、前記早送り移送部１５の早送りベルト１８は、早送り移送部１５に受け渡された播種済み育苗容器Ａを早送りして後続の播種済み育苗容器Ａとの間に間隔を形成し、この一枚目育苗容器Ａと二枚目育苗容器Ａとの間の間隔を二枚目育苗容器Ａが通過する間に、前記重ね出し用移送部１６の上下支持枠体２７により播種済みの一枚目育苗容器Ａを一旦持ち上げて支持して待機させ、前記二枚目育苗容器Ａと三枚目育苗容器Ａとの間の間隔を三枚目育苗容器Ａが通過する間に、前記上下支持枠体２７により持ち上げていた播種済みの一枚目育苗容器Ａを下降させて二枚目育苗容器Ａ上に重ね、次に、前記二段重ね育苗容器Ａの搬出と三枚目育苗容器Ａの重ね出し用移送部１６への早送りとを行い、この作業を反復する播種済み育苗容器搬送方法。
【請求項３】
空の育苗容器Ａを移送する播種用移送台１の上方に床土供給装置２と種子供給装置３と覆土供給装置４を設け、前記播種用移送台１の終端には播種済み育苗容器Ａを上下二段に重ねる重ね出し装置１０を設け、該重ね出し装置１０の終端には播種済み育苗容器Ａを搬入して所定期間育苗する育苗器１２に搬送する搬送用移送台１１の始端部を接続し、該搬送用移送台１１は、フレーム６０に自由回転の搬送ローラー６２を複数並設し、前記重ね出し装置１０から送り出された播種済み二段育苗容器Ａが前記重ね出し装置１０から送り出される後続の播種済み二段育苗容器Ａにより押されて搬送用移送台１１の終端まで搬送する構成とし、前記重ね出し装置１０は、播種用移送台１の終端から受け渡された播種済み育苗容器Ａを受け入れ前記搬送用移送台１１に搬出する移送手段２４と、該移送手段２４の左右両側に上下往復自在に設けて播種済みの育苗容器Ａを一旦持ち上げ待機させた先行育苗容器Ａを、移送手段２４に受け入れた後続育苗容器Ａ上に下降させて先行育苗容器Ａを後続育苗容器Ａ上に二段重ねにする左右一対の上下支持枠体２７とを設けて構成した播種済み育苗容器搬送装置。
【請求項４】
請求項３において、前記上下支持枠体２７は、育苗容器Ａを支持する支持位置と支持位置から退避する退避位置の間回動自在に設け、一旦持ち上げて待機させた先行播種済み育苗容器Ａを、後続の播種済みの育苗容器Ａに重ねて退避し、後続播種済み育苗容器Ａを受け入れる受け入れ位置まで下降すると支持位置に復帰する構成とした播種済み育苗容器搬送装置。
【請求項５】
請求項３または請求項４において、前記上下支持枠体２７は、該上下支持枠体２７を取付けた上下移動体３５の前後方向の案内孔４２に、前記育苗容器Ａの移送方向と平行に回転するアーム４４のローラ４３を嵌合させてローラ４３の円移動により上下する構成とした播種済み育苗容器搬送装置。
【請求項６】
請求項３または請求項４または請求項５において、前記重ね出し装置１０の早送り移送部１５には、播種用移送台１から受け入れた育苗容器Ａを重ね出し用移送部１６に早送りする早送りベルト１８を設け、前記重ね出し用移送部１６には早送り移送部１５からの育苗容器Ａを受け入れる移送ベルト２５を設け、早送りベルト１８と移送ベルト２５は同一の移送用モータ２３により駆動する構成とした播種済み育苗容器搬送装置。
【請求項７】
請求項６において、前記重ね出し装置１０の前記重ね出し用移送部１６には、少なくとも、重ね出し用移送部１６の所定位置に育苗容器Ａが進入したのを検出する進入検出スイッチ６６と、上下支持枠体２７により持ち上げた育苗容器Ａが上側待機位置にまで上昇したのを検出する上方待機検出スイッチ６７と、上側待機位置の先行育苗容器Ａを後続の育苗容器Ａに重なるまで上下支持枠体２７が下降させたことを検出する下降検出スイッチ６８とを設け、前記進入検出スイッチ６６が育苗容器Ａを検出すると、移送用モータ２３への通電を切って、積み上げ用モーター１８に通電する構成とし、もって、移送用モータ２３は、早送りベルト１８および移送ベルト２５を同時に駆動して、先行育苗容器Ａを前記上下支持枠体２７により上方に持ち上げるための後続の育苗容器Ａとの間に間隔を形成すると共に、上下支持枠体２７により二段に重ねた育苗容器Ａの前記搬送用移送台１１への搬出と該二段重ね育苗容器Ａの後続育苗容器Ａの重ね出し用移送部１６への早送りとを行う構成とした播種済み育苗容器搬送装置。
【発明の詳細な説明】
【技術分野】
【０００１】
本発明は、播種済み育苗容器搬送方法および播種済み育苗容器搬送装置に係るものである。
【背景技術】
【０００２】
従来、育苗容器を移送する移送ロールを複数並設した移送台の上方に、床土供給装置と種子供給装置と覆土供給装置を設け、播種用移送台で播種済み育苗容器を積み上げ、１０段ほど積み上げた育苗容器を、パレット上に押し出し、数百枚の育苗容器をフォークリフトにより運搬する構成は、公知である（特許文献１参照）。
【先行技術文献】
【特許文献】
【０００３】
【特許文献１】特開平０９−３２３８２８号公報
【発明の概要】
【発明が解決しようとする課題】
【０００４】
前記公知例は、数百枚の育苗容器をフォークリフトにより運搬する構成のため、規模の大きな場合有効であるが、規模の小さい場合、コストが高くなるという課題がある。
播種済みの育苗容器は一枚当たり約７Ｋｇもあり、規模の小さい場合でも、手作業での播種済みの育苗容器の運搬は非常な重労働となるが、播種済みの育苗容器は多くの場合所定期間育苗器で育苗するので、育苗器への搬入のため、この運搬の重労働は避けられない。
そこで、本願は、播種済み育苗容器の重ねる段数と運搬を簡便な方法で行えるように工夫し、播種育苗作業の設備も含めた全体コストを低くし、労働の軽減化を図ったものである。
【課題を解決するための手段】
【０００５】
請求項１の発明は、播種済み育苗容器Ａを所定期間育苗する育苗器１２と、該育苗器１２の近傍所定位置に設置した播種用移送台１との間に重ね出し装置１０および搬送用移送台１１を設置し、播種用移送台１に空の育苗容器Ａを供給して、播種用移送台１により移送中の育苗容器Ａに上方から床土と水と種子と覆土を供給して播種し、播種用移送台１の終端から重ね出し装置１０の早送り移送部１５に播種済み育苗容器Ａを受け渡し、重ね出し装置１０の早送り移送部１５にて受け渡された播種済み育苗容器Ａを早送りして後続の播種済み育苗容器Ａとの間に間隔を形成し、前記早送り移送部１５に受け渡された育苗容器Ａを受け入れる下側待機位置と播種済みの二枚目育苗容器Ａの受入れ可能となる上側待機位置との間往復上下動する、重ね出し装置１０の重ね出し用移送部１６の上下支持枠体２７により播種済みの一枚目育苗容器Ａを一旦持ち上げて支持して待機させ、この播種済みの一枚目育苗容器Ａの下に播種済みの二枚目育苗容器Ａを受け入れ、受け入れた播種済みの二枚目育苗容器Ａに前記上下支持枠体２７ごと播種済みの一枚目育苗容器Ａを下降させて上下二段に重ね、上下二段に重ねた先行の二段積み育苗容器Ａを移送手段２４により搬送用移送台１１の始端部に送り出して搬送用移送台１１に受け渡し、先行の二段重ね育苗容器Ａは重ね出し用移送部１６から送り出された後続の二段重ね育苗容器Ａにより押され、これを反復して、二段積み育苗容器Ａを搬送用移送台１１の終端まで移動させ、前記搬送用移送台１１の終端に搬送された播種済み育苗容器Ａを育苗器１２内に搬入して所定期間育苗する播種済み育苗容器搬送方法としたものである。
請求項２の発明は、前記早送り移送部１５の早送りベルト１８は、早送り移送部１５に受け渡された播種済み育苗容器Ａを早送りして後続の播種済み育苗容器Ａとの間に間隔を形成し、この一枚目育苗容器Ａと二枚目育苗容器Ａとの間の間隔を二枚目育苗容器Ａが通過する間に、前記重ね出し用移送部１６の上下支持枠体２７により播種済みの一枚目育苗容器Ａを一旦持ち上げて支持して待機させ、前記二枚目育苗容器Ａと三枚目育苗容器Ａとの間の間隔を三枚目育苗容器Ａが通過する間に、前記上下支持枠体２７により持ち上げていた播種済みの一枚目育苗容器Ａを下降させて二枚目育苗容器Ａ上に重ね、次に、前記二段重ね育苗容器Ａの搬出と三枚目育苗容器Ａの重ね出し用移送部１６への早送りとを行い、この作業を反復する播種済み育苗容器搬送方法としたものである。
請求項３の発明は、空の育苗容器Ａを移送する播種用移送台１の上方に床土供給装置２と種子供給装置３と覆土供給装置４を設け、前記播種用移送台１の終端には播種済み育苗容器Ａを上下二段に重ねる重ね出し装置１０を設け、該重ね出し装置１０の終端には播種済み育苗容器Ａを搬入して所定期間育苗する育苗器１２に搬送する搬送用移送台１１の始端部を接続し、該搬送用移送台１１は、フレーム６０に自由回転の搬送ローラー６２を複数並設し、前記重ね出し装置１０から送り出された播種済み二段育苗容器Ａが前記重ね出し装置１０から送り出される後続の播種済み二段育苗容器Ａにより押されて搬送用移送台１１の終端まで搬送する構成とし、前記重ね出し装置１０は、播種用移送台１の終端から受け渡された播種済み育苗容器Ａを受け入れ前記搬送用移送台１１に搬出する移送手段２４と、該移送手段２４の左右両側に上下往復自在に設けて播種済みの育苗容器Ａを一旦持ち上げ待機させた先行育苗容器Ａを、移送ベルト２５に受け入れた後続育苗容器Ａ上に下降させて先行育苗容器Ａを後続育苗容器Ａ上に二段重ねにする左右一対の上下支持枠体２７とを設けて構成した播種済み育苗容器搬送装置としたものである。
請求項４の発明は、前記上下支持枠体２７は、育苗容器Ａを支持する支持位置と支持位置から退避する退避位置の間回動自在に設け、一旦持ち上げて待機させた先行播種済み育苗容器Ａを、後続の播種済みの育苗容器Ａに重ねて退避し、後続播種済み育苗容器Ａを受け入れる受け入れ位置まで下降すると支持位置に復帰する構成とした播種済み育苗容器搬送装置としたものである。
請求項５の発明は、前記上下支持枠体２７は、該上下支持枠体２７を取付けた上下移動体３５の前後方向の案内孔４２に、前記育苗容器Ａの移送方向と平行に回転するアーム４４のローラ４３を嵌合させてローラ４３の円移動により上下する構成とした播種済み育苗容器搬送装置としたものである。
請求項６の発明は、前記重ね出し装置１０の早送り移送部１５には、播種用移送台１から受け入れた育苗容器Ａを重ね出し用移送部１６に早送りする早送りベルト１８を設け、前記重ね出し用移送部１６には早送り移送部１５からの育苗容器Ａを受け入れる移送ベルト２５を設け、早送りベルト１８と移送ベルト２５は同一の移送用モータ２３により駆動する構成とした播種済み育苗容器搬送装置としたものである。
請求項７の発明は、前記重ね出し装置１０の前記重ね出し用移送部１６には、少なくとも、重ね出し用移送部１６の所定位置に育苗容器Ａが進入したのを検出する進入検出スイッチ６６と、上下支持枠体２７により持ち上げた育苗容器Ａが上側待機位置にまで上昇したのを検出する上方待機検出スイッチ６７と、上側待機位置の先行育苗容器Ａを後続の育苗容器Ａに重なるまで上下支持枠体２７が下降させたことを検出する下降検出スイッチ６８とを設け、前記進入検出スイッチ６６が育苗容器Ａを検出すると、移送用モータ２３への通電を切って、積み上げ用モーター１８に通電する構成とし、もって、移送用モータ２３は、早送りベルト１８および移送ベルト２５を同時に駆動して、先行育苗容器Ａを前記上下支持枠体２７により上方に持ち上げるための後続の育苗容器Ａとの間に間隔を形成すると共に、上下支持枠体２７により二段に重ねた育苗容器Ａの前記搬送用移送台１１への搬出と該二段重ね育苗容器Ａの後続育苗容器Ａの重ね出し用移送部１６への早送りとを行う構成とした播種済み育苗容器搬送装置としたものである。
【発明の効果】
【０００６】
請求項１の発明では、播種用移送台１と重ね出し装置１０と搬送用移送台１１とを設置するだけで、播種用移送台１の始端部で空の育苗容器Ａを播種用移送台１に供給する作業者と、搬送用移送台１１の終端で育苗器１２に育苗容器Ａを搬入する作業者の二人で作業を行うことができ、人件費を低くでき、それゆえ、小規模な作業場においても、コストを掛けず、連続播種作業を行って、播種作業に要する作業時間を短縮し、しかも、重い播種済み二段育苗容器Ａの運搬作業から解放され、供給作業者と搬入作業者の二人作業も可能となって、人件費を低くできる。
また、上下支持枠体２７は育苗容器Ａを一旦持ち上げて二枚目育苗容器Ａの上に降ろして上下二段に重ねるので、動きに無駄が無く、円滑且つ確実に作業を行うことができる。
請求項２の発明では、先行育苗容器Ａと後続育苗容器Ａとの間に早送りすることにより稼いだ時間を利用して、育苗容器Ａの持ち上げと、持ち上げた育苗容器Ａの下降と、重ねた育苗容器Ａの搬出を行えるので、動きに無駄が無く、円滑且つ確実に作業を行うことができる。
請求項３の発明では、播種用移送台１と重ね出し装置１０と搬送用移送台１１とを設置するだけで、播種用移送台１の始端部で空の育苗容器Ａを播種用移送台１に供給する作業者と、搬送用移送台１１の終端で育苗器１２に育苗容器Ａを搬入する作業者の二人で作業を行うことができ、人件費を低くでき、それゆえ、小規模な作業場においても、コストを掛けず、連続播種作業を行って、播種作業に要する作業時間を短縮し、しかも、重い播種済み二段育苗容器Ａの運搬作業から解放され、供給作業者と搬入作業者の二人作業も可能となって、人件費を低くできる。
また、上下支持枠体２７は育苗容器Ａを一旦持ち上げて二枚目育苗容器Ａの上に降ろして上下二段に重ねるので、動きに無駄が無く、円滑且つ確実に作業を行うことができる。
請求項４の発明では、上下支持枠体２７は、一旦持ち上げて待機させた先行播種済み育苗容器Ａを、後続の播種済みの育苗容器Ａ上に重ねるとき退避し、後続播種済み育苗容器Ａを受け入れる受け入れ位置まで下降すると支持位置に復帰するので、一旦持ち上げた育苗容器Ａを下方の育苗容器Ａの上に降ろし上下二段に重ねる重ね出し作業に無駄が無く、円滑且つ確実に作業を行うことができる。
請求項５の発明では、上下支持枠体２７を上下させる作動機構を、育苗容器Ａの移送方向と平行に移動させて行うことができるので、構成および作動スペースをコンパクトにすることができ、設置スペースおよび作業スペースをコンパクトにすることができる。
請求項６の発明では、先行育苗容器Ａと後続育苗容器Ａとの間に早送りすることにより稼いだ時間を利用して、育苗容器Ａの持ち上げと、持ち上げた育苗容器Ａの下降と、重ねた育苗容器Ａの搬出を行え、しかも、早送りベルト１８と移送ベルト２５は同一の移送用モータ２３により駆動するので、構成を簡素にでき、円滑且つ確実に作業を行うことができる。
請求項７の発明では、移送用モータ２３と重ね用モータ２８とを円滑に作動させることができる。
【図面の簡単な説明】
【０００７】
【図１】播種済み育苗容器搬送装置の概略図。
【図２】重ね出し装置の概略側面図。
【図３】同概略正面図。
【図４】同概略正面図。
【図５】同拡大正面図。
【図６】同二段重ね状態概略正面図。
【図７】上下支持枠体の概略斜視図。
【図８】同支持状態の概略斜視図。
【図９】同退避状態の概略斜視図。
【図１０】先行育苗容器の受け入れ状態側面図。
【図１１】先行育苗容器の上昇開始前状態側面図。
【図１２】先行育苗容器の上方待機状態側面図。
【図１３】後続育苗容器の受け入れおよび先行育苗容器の下降開始状態側面図。
【図１４】先行育苗容器の重ね合わせ状態側面図。
【図１５】二段重ね育苗容器搬出状態側面図。
【図１６】先行育苗容器の受け入れから二段重ね育苗容器搬出までの概略説明図。
【発明を実施するための形態】
【０００８】
本発明の一実施例を図面により説明すると、１は育苗容器Ａに床土と種子と覆土を供給を移送する播種用移送台であり、播種用移送台１の上方始端部側には移送中の育苗容器Ａに床土を供給する床土供給装置２を設け、床土供給装置２の移送方向下手側には移送中の育苗容器Ａに種子を供給する種子供給装置３を設け、種子供給装置３の移送方向下手側には移送中の育苗容器Ａに覆土を供給する覆土供給装置４等を設けている。
即ち、播種用移送台１上には、前記床土供給装置２等の他に、床土を均平する回転ブラシや灌水装置を設け、移送中の育苗容器Ａに播種するように構成されていればよい。
【０００９】
播種用移送台１の終端には、重ね出し装置１０を設ける。重ね出し装置１０は、播種された育苗容器Ａを上下二段重ねにし、二段重ねにした育苗容器Ａを搬送用移送台１１により育苗器（育苗ハウス）１２まで搬送し、播種済み二段育苗容器Ａを育苗器１２に搬入して所定期間育苗する。
したがって、小規模な圃場に移植する苗を得るための播種作業と育苗作業を連続して行え、省力化を図る。
前記重ね出し装置１０は、前記播種用移送台１の終端に接続する早送り移送部１５早送り移送部１５と早送り移送部１５に続く重ね出し用移送部１６とを有する。
早送り移送部１５には、早送り手段１７を設ける。早送り手段１７はローラーあるいはベルトにより構成し、実施例では左右一対の早送りベルト１８により構成している。
【００１０】
早送りベルト１８は前後一対のプーリー（図示省略）に掛け回し、移送方向下手側（前側）のプーリーの回転軸２１には歯車２２を設ける。歯車２２には移送用モータ２３の駆動力を伝達する。
前記重ね出し用移送部１６には、前記搬送用移送台１１へ二段重ねした育苗容器Ａを移送させる移送手段２４を設ける。移送手段２４はローラーあるいはベルトにより構成し、実施例では左右一対の移送ベルト２５および移送ローラ２５Ａにより構成している。
前記早送りベルト１８は移送用モータ２３により駆動回転し、先行の育苗容器Ａを早送り移送して、後続の育苗容器Ａとの間に間隔を形成させ、先行の育苗容器Ａとの間の間隔を後続の育苗容器Ａが通過する間に、後述する上下支持枠体２７を重ね用モータ２８により駆動して、先行育苗容器Ａを上方に持ち上げて待機させる。
【００１１】
即ち、前記早送り移送部１５の早送りベルト１８は、早送り移送部１５に受け渡された播種済み育苗容器Ａを早送りして後続の播種済み育苗容器Ａとの間に間隔を形成し（図１６イ）、この一枚目育苗容器Ａと二枚目育苗容器Ａとの間の間隔を二枚目育苗容器Ａが通過する間に、前記重ね出し用移送部１６の上下支持枠体２７により播種済みの一枚目育苗容器Ａを一旦持ち上げて支持して待機させ、前記二枚目育苗容器Ａと三枚目育苗容器Ａとの間の間隔を三枚目育苗容器Ａが通過する間に、前記上下支持枠体２７により持ち上げていた播種済みの一枚目育苗容器Ａを二枚目育苗容器Ａ上に重ね（図１６ハ）、次に、前記二段重ね育苗容器Ａの搬出と三枚目育苗容器Ａの早送りとを行い（図１６ニ）、この作業を反復する。
【００１２】
したがって、先行の育苗容器Ａと後続の育苗容器Ａとの間の間隔は、先行育苗容器Ａの上昇に要する時間と、先行育苗容器Ａの下降に要する時間より長く設定し、二段重ねする（なお、図１６の各図は概略を示すものであり、図１６に示された先行の育苗容器Ａと後続の育苗容器Ａとの間の間隔の構成に限定されない）。
育苗容器Ａを上方に持ち上げる構成は、左右一対の上下支持枠体２７により構成する。上下支持枠体２７は前後に取付部３０を有し、取付部３０を縦板部３１により連結する。縦板部３１には円弧部３２に続いて略水平の支持部３３を設ける。
そのため、縦板部３１と円弧部３２と支持部３３により、上下支持枠体２７の剛性を向上させている。
上下支持枠体２７は、その取付部３０を上下移動体３５の前後一対の取付腕部３６に軸３７により回動自在に取付ける。上下移動体３５は重ね出し用移送部１６のフレーム３８に設けた縦の一対の支持軸３９に上下摺動自在に取付ける。左右の上下移動体３５の縦板部４０には育苗容器Ａの移送方向に長い案内孔４２を夫々形成する。案内孔４２には軸心が左右方向のローラ４３を夫々嵌合させる。ローラ４３はアーム４４の先端に回転自在に左右方向の軸４５により軸装する。
【００１３】
各アーム４４の基部は重ね出し用移送部１６のフレーム３８の縦フレーム４６に左右方向の軸４７により軸装し、軸４７には歯車４８を設ける。各歯車４８には左右方向の中間軸４９に設けた中間歯車５０との間にチェン５１を掛け回す。前記中間軸４９の左右何れか一方には従動歯車５２を設け、従動歯車５２には前記重ね用モータ２８の出力歯車５３の間にチェン５４を掛け回す。
中間軸４９は、上下二段に積み上げた育苗容器Ａの上面より上方に位置するように、重ね出し用移送部１６のフレーム３８に軸装する。
５５は左右一対の受板であり、軸５６に上下動自在に取付ける。５７は受板５５を常時上動するように付勢するバネである。バネ５７は、一枚の育苗容器Ａは支持するが、二段重ねの育苗容器Ａが載ると受板５５を下降させる弾力に構成している。
５８は上下支持枠体２７が通過する受板５５に形成した透孔である。
【００１４】
即ち、受板５５は、上方の受け入れ位置のとき育苗容器Ａを受け入れ、一枚目の育苗容器Ａを下降させて二段重ねにすると、下降して二段重ねの育苗容器Ａを移送手段２４上に載置する。
重ね用モータ２８に通電すると、ローラ４３とアーム４４は育苗容器Ａの移送方向に対して交差方向を軸心として回転し、この回転運動をローラ４３と上下移動体３５の案内孔４２により上下運動に変換させるので、小さい作動スペースで上下支持枠体２７を上下させられる。
【００１５】
上下支持枠体２７は、図１０のように、受板５５より下方に待機し、受板５５上の育苗容器Ａの底面に当接し、そのまま育苗容器Ａを持ち上げ、一旦育苗容器Ａが持ち上げられた状態で、下方の受板５５上に次の育苗容器Ａを受け入れ、持ち上げてある育苗容器Ａを受け入れた後続の育苗容器Ａ上に下降させると、退避して、二段重ねにする。
二段に育苗容器Ａが重ねられると、移送ベルト２５は上下二段に重ねた育苗容器Ａを搬送用移送台１１に移送（搬出）し、上下支持枠体２７は自重で退避位置から支持位置に復帰する。
搬送用移送台１１は、左右一対のフレーム６０に支脚６１を所定間隔を置いて複数設け、育苗器１２と播種用移送台１との間に設置する。フレーム６０には複数の搬送ローラー（図示省略）を所定間隔置いて複数設ける。搬送ローラーは全て自由回転とし、駆動回転させない。
【００１６】
また、搬送用移送台１１は、所定長さのものを複数用意し、播種用移送台１と育苗器（育苗ハウス）１２までの距離により複数の搬送用移送台１１を接続しても良い。
しかして、重ね出し装置１０は、前記したように、前記早送り移送部１５の早送りベルト１８が、早送り移送部１５に受け渡された播種済み育苗容器Ａを早送りして後続の播種済み育苗容器Ａとの間に間隔を形成し、この一枚目育苗容器Ａと二枚目育苗容器Ａとの間の間隔を二枚目育苗容器Ａが通過する間に、前記重ね出し用移送部１６の上下支持枠体２７により播種済みの一枚目育苗容器Ａを一旦持ち上げて支持して待機させ、前記二枚目育苗容器Ａと三枚目育苗容器Ａとの間の間隔を三枚目育苗容器Ａが通過する間に、前記上下支持枠体２７により持ち上げていた播種済みの一枚目育苗容器Ａを二枚目育苗容器Ａ上に重ね、次に、前記二段重ね育苗容器Ａの搬出と三枚目育苗容器Ａの早送りとを同時に行い、この作業を反復する（図１６）。
【００１７】
この作業を行う移送用モータ２３と積み上げ用モーター１８は、重ね出し装置１０に設けた各検出手段であるスイッチにより入切制御を行う。
この各スイッチの配置構成は任意であるが、一例を示すと、重ね出し用移送部１６の待機位置にある受板５５上の所定位置まで育苗容器Ａが侵入すると、この侵入を検出する進入検出スイッチ６６を重ね出し用移送部１６のフレーム１６に設ける。
即ち、前記早送り移送部１５の移送用モータ２３は、重ね出し作業開始前には通電し、早送り手段１７の早送りベルト１８を駆動させている。
したがって、播種用移送台１から重ね出し装置１０の早送り移送部１５に育苗容器Ａが乗り移ると、この先行育苗容器Ａを早送りし、後続の育苗容器Ａとの間に間隔を形成し、この早送りされた育苗容器Ａが待機位置の受板５５上の所定位置まで侵入して、進入検出スイッチ６６に接触すると、移送用モータ２３を一旦停止させる（図１１）。
【００１８】
また、進入検出スイッチ６６に先行育苗容器Ａが接触すると、積み上げ用モーター１８に通電し、上下支持枠体２７により育苗容器Ａを次の育苗容器Ａが侵入しうる高さまで上昇させる（図１１、図１２）。
前記重ね出し用移送部１６の所定位置には、先行育苗容器Ａが後続の育苗容器Ａが侵入しうる高さまで上昇したことを上方待機検出スイッチ６７を設ける（図１２）。
また、重ね出し用移送部１６のフレーム３８の所定位置には、前記待機高さ位置より下方に受板５５および上下支持枠体２７が下降して、移送手段２４上に二段重ね育苗容器Ａが載置されると、接触する下降検出スイッチ６８を設ける。
上下支持枠体２７は下降検出スイッチ６８に接触すると、下降移動から上昇移動に転じ、待機高さ位置（受板５５の上動位置）にまで上昇して下方待機検出スイッチ６９に接触する。
【００１９】
即ち、上下支持枠体２７は、アーム４４のローラ４３が軸４７中心に円移動することにより上下し、この上下支持枠体２７とローラ４３の位置関係を説明すると、ローラ４３が最下降位置より僅かに上昇した位置を、上下支持枠体２７が育苗容器Ａを受け入れる下方待機位置とし（図１０）、受け入れ位置の受板５５より僅かに下方に位置させ、この下方待機位置の上下支持枠体２７に前記下方待機検出スイッチ６９が接触するように配置する。
したがって、図１０のように、下方待機検出スイッチ６９のみが接触しているとき、育苗容器Ａが無い下方待機状態となる。
【００２０】
次に、前記したように、早送り移送部１５に育苗容器Ａが乗り移って早送りされた育苗容器Ａが待機位置の受板５５上の所定位置まで侵入すると、この侵入を検出する進入検出スイッチ６６に接触し（図１１）、移送用モータ２３を一旦停止させ、重ね用モータ２８に通電し、アーム４４とローラ４３は図１０から図１２のように反時計回転して上下支持枠体２７を上昇させ、育苗容器Ａが上方待機検出スイッチ６７に接触すると、重ね用モータ２８への通電を一旦切りにする。
このとき、上下支持枠体２７を上昇させて先行育苗容器Ａが進入検出スイッチ６６から離れると、一旦停止させていた移送用モータ２３に通電し、後続育苗容器Ａを早送りする（図１１から図１２への先行育苗容器Ａの上昇中）。
【００２１】
次に、進入検出スイッチ６６が受板５５へ上下二段のうちの下段となる後続（二枚目）の育苗容器Ａの進入を検知すると、上方待機検出スイッチ６７と進入検出スイッチ６６とが同時に接触し、重ね用モータ２８に再通電し、アーム４４とローラ４３を反時計回転させて上下支持枠体２７を下降させる。
このとき、上下支持枠体２７は下方待機位置で下方待機検出スイッチ６９に接触するが、更にアーム４４および上下支持枠体２７は下降し、上下支持枠体２７が下降検出スイッチ６８に接触する。
【００２２】
したがって、進入検出スイッチ６６と下降検出スイッチ６８と下方待機検出スイッチ６９とが同時に接触するので、重ね用モータ２８の回転を停止させ、同時に、移送用モータ２３に通電して、二段重ねした育苗容器Ａを搬送用移送台１１へ搬出する。
二段重ね育苗容器Ａが搬出されると、重ね用モータ２８へ再通電して、最下方位置にあるローラ４３が待機位置まで上昇回転させ、下降検出スイッチ６８から上下支持枠体２７が離脱して待機高さになって、重ね用モータ２８への通電を切断する。
なお、前記早送り移送部１５には、育苗容器Ａの乗り移りを検出する乗り移り検出スイッチ６５を設け、前記進入検出スイッチ６６と下降検出スイッチ６８と下方待機検出スイッチ６９とが同時に接触した状態で、乗り移り検出スイッチ６５が早送り移送部１５への育苗容器Ａの乗り移りを検知したときは、播種用移送台１の全ての作動を停止させる。
【００２３】
（実施例の作用）
播種済み育苗容器Ａを所定期間育苗する育苗器１２の近傍所定位置に播種用移送台１を設置し、播種用移送台１の終端に重ね出し装置１０の早送り移送部１５の始端部を接続し、重ね出し装置１０の重ね出し用移送部１６の終端に搬送用移送台１１の始端部を接続し、搬送用移送台１１の終端を育苗器１２の搬入口近傍に設置する。
次に、播種用移送台１の始端部に空の育苗容器Ａを供給し、移送中の育苗容器Ａは床土供給装置２の下方で床土の供給を受け、灌水され、種子供給装置３の下方で種子の供給を受け、覆土供給装置４の下方で覆土の供給を受ける。
【００２４】
播種されて播種用移送台１の終端に移送された育苗容器Ａは、重ね出し装置１０の早送り移送部１５の早送りベルト１８に乗り移り、既に通電されている移送用モータ２３により早送りベルト１８を駆動させて育苗容器Ａを早送り移送し、後続の育苗容器Ａとの間に間隔を形成させる。
早送りベルト１８により一枚目の育苗容器Ａが受板５５上に乗り移って重ね出し用移送部１６に進入すると、育苗容器Ａが進入検出スイッチ６６に接触し、重ね用モータ２８に通電して、上下支持枠体２７を上昇させる。
このとき、育苗容器Ａと進入検出スイッチ６６との接触により移送用モータ２３は一旦停止させておく。
【００２５】
上下支持枠体２７が一枚目の育苗容器Ａを所定高さまで上昇させると、育苗容器Ａが上方待機検出スイッチ６７に接触し、積み上げ用モーター１８への通電を一旦切り、同時に移送用モータ２３に再通電する。
一枚目の育苗容器Ａが上下支持枠体２７により支持されている間に、後続の二枚目育苗容器Ａが重ね出し装置１０の早送り移送部１５の早送りベルト１８に乗り移って、早送りベルト１８により二枚目の育苗容器Ａが重ね出し用移送部１６の受板５５上に進入して進入検出スイッチ６６に接触すると、重ね用モータ２８に通電して、上下支持枠体２７の下降開始する。
【００２６】
なお、厳密に詳述すると  一枚目の育苗容器Ａが上下支持枠体２７により上昇開始して、育苗容器Ａが進入検出スイッチ６６から離れて非接触状態となると、移送用モータ２３に再通電し、一枚目の育苗容器Ａの上昇時間も後続育苗容器Ａとの間隔に算入でき、作業効率を向上させている。
次に、上下支持枠体２７の下降により二枚目の育苗容器Ａの上方に一枚目の育苗容器Ａが重ねると、受板５５と二段重ね育苗容器Ａと上下支持枠体２７が下方待機検出スイッチ６９に接触し、更に受板５５と二段重ね育苗容器Ａと上下支持枠体２７が下降して下降検出スイッチ６８に接触すると、積み上げ用モーター１８への通電を切り、上下二段重ねが終了する。
【００２７】
このとき、下段の二枚目の育苗容器Ａは進入検出スイッチ６６に接触しているので、移送用モータ２３は停止状態であり、受板５５と二段重ね育苗容器Ａと上下支持枠体２７の更なる下降により下降検出スイッチ６８に接触すると、二段重ね育苗容器Ａは移送手段２４上に載置されており、進入検出スイッチ６６と下降検出スイッチ６８と下方待機検出スイッチ６９の全てが接触し、積み上げ用モーター１８への通電を切ると共に、移送用モータ２３に通電して、重ね出し用移送部１６から搬送用移送台１１へ二段重ね育苗容器Ａを搬出し、同時に、早送り移送部１５からの三枚目の後続育苗容器Ａを早送りする。
【００２８】
このように、播種用移送台１にて播種された播種済み育苗容器Ａは上記作動を反復して上下二段に積み上げられ、搬出される。
したがって、一枚目の育苗容器Ａへの二枚目の育苗容器Ａの二段重ねおよび二段重ね育苗容器Ａの搬出は、早送りベルト１８による早送りで生じる後続の育苗容器Ａとの間の間隔を、後続の育苗容器Ａが移動する間に行う。
また、上下支持枠体２７は、アーム４４とローラ４３を一回転させることにより、育苗容器Ａを上昇させてから下降させるので、制御を容易に且つ確実にし、また、各スイッチの配置の設定も容易となる。
なお、上下支持枠体２７は、前後の取付部３０を上下移動体３５の前後一対の取付腕部３６に軸３７により回動自在に取付けているので、上下支持枠体２７の下降により二枚目の育苗容器Ａの上方に一枚目の育苗容器Ａを重ねると、上下支持枠体２７は二枚目の育苗容器Ａの側壁正面に当たって退避し、退避状態で下降し、上下支持枠体２７が下段の育苗容器Ａの下面を通過すると、支持位置に自重回動して復帰する。
【００２９】
また、播種用移送台１から移送された播種済み育苗容器Ａが受板５５上に乗り移って進入検出スイッチ６６に接触し、重ね用モータ２８に通電して、受板５５を下方に残して上下支持枠体２７は受板５５よりも下方位置から上昇して育苗容器Ａの下面に当接し、受板５５は下方に残して、そのまま、上下支持枠体２７は育苗容器Ａを上昇させる。
そのため、上下支持枠体２７による播種済み育苗容器Ａの下面の支持の確実性を向上させている。
【００３０】
上下支持枠体２７が保持している一枚目の育苗容器Ａの下方の受板５５に、二枚目の育苗容器Ａが進入すると、受板５５により支持され、更に、進入して進入検出スイッチ６６に接触し、重ね用モータ２８に通電して、上下支持枠体２７の下降を開始する。
上下支持枠体２７の下降により二枚目の育苗容器Ａの上方に一枚目の育苗容器Ａが重なると、上下支持枠体２７は二枚目の育苗容器Ａの側壁上面に接触して退避位置に回動する。
【００３１】
そして、受板５５を上方付勢しているバネ５７の弾力は二枚の育苗容器Ａを支持できない設定としているので、二枚目の育苗容器Ａの上方に一枚目の育苗容器Ａが重なると、受板５５は二段重ねの育苗容器Ａを下降させ、下方待機検出スイッチ６９に接触し、更に二段重ねの育苗容器Ａが下降して、移送手段２４の移送ベルト２５および移送ローラ２５Ａ上に載置されると、下降検出スイッチ６８に接触し、積み上げ用モーター１８への通電を切り、上下二段重ねが終了し、移送用モータ２３に通電して、重ね出し用移送部１６から搬送用移送台１１へ二段重ね育苗容器Ａを搬出する。
【００３２】
このように、受板５５は二段に育苗容器Ａを重ねたときのみ移送手段２４の移送ベルト２５および移送ローラ２５Ａ上に載置するので、作動が確実にできる。
したがって、
しかして、上記作動を反復して上下二段に積み上げられ、搬送用移送台１１に送り出され、搬送用移送台１１に送り出された二段重ね育苗容器Ａは、搬送用移送台１１により育苗器１２まで搬送し、播種済み育苗容器Ａを育苗器１２に搬入する。
この場合、搬送用移送台１１は、左右一対のフレーム６０に支脚６１を所定間隔を置いて複数設け、育苗器１２と播種用移送台１との間に設置し、フレーム６０には複数の搬送ローラー６２を所定間隔置いて複数設け、該搬送ローラー６２は全て自由回転とし、駆動回転させないので、重ね出し用移送部１６の２５により搬出された播種済み二段育苗容器Ａにより先行する播種済み二段重ね育苗容器Ａを押し、播種済み二段重ね育苗容器Ａは順に送られて、搬送用移送台１１の終端に至る。
【００３３】
搬送用移送台１１の終端まで送られた播種済み育苗容器Ａを育苗器１２に搬入して所定期間育苗する。
したがって、搬送用移送台１１は一切の駆動装置を不要とし、極めて軽量に構成することができる。
そのため、搬送用移送台１１の設置は容易であり、播種用移送台１の設置場所と育苗器１２の設置場所の選択範囲を広げることができ、播種育苗作業全般を容易にする。
【００３４】
また、播種用移送台１により播種された播種済み育苗容器Ａは、そのまま、重ね出し装置１０で自動的に上下二段に積み上げられ、積み上げが終わると、搬送用移送台１１により自動的に育苗器１２まで搬送されるので、重い播種済み育苗容器Ａの運搬作業から解放され、播種・育苗作業の軽減化を向上させる。
また、搬送用移送台１１は、早送り手段により育苗容器Ａを早送りするものの、重ね出し装置１０から送り出された後続育苗容器Ａにより先行育苗容器Ａを搬送できる。
したがって、播種用移送台１と重ね出し装置１０と搬送用移送台１１を設置すると、播種用移送台１の始端部で空の育苗容器Ａを播種用移送台１に供給する作業者と、搬送用移送台１１の終端で育苗器１２に育苗容器Ａを搬入する作業者の二人で作業を行うことができ、人件費を低くできる。
【００３５】
それゆえ、小規模な作業場においても、コストを掛けず、連続播種作業を行って、播種作業に要する作業時間を短縮し、しかも、重い播種済み育苗容器Ａの運搬作業から解放され、供給作業者と搬入作業者の二人作業も可能となって、人件費を低くできる。
【符号の説明】
【００３６】
１…播種用移送台、２…床土供給装置、３…種子供給装置、４…覆土供給装置、１０…積み出し装置、１１…搬送用移送台、１２…育苗器（育苗ハウス）、１５…早送り移送部、１６…重ね出し用移送部、１７…早送り手段、１８…早送りベルト、２１…回転軸、２２…歯車、２３…移送用モータ、２４…移送手段、２５…移送ベルト、２７…上下支持枠体、２８…重ね用モータ、３０…取付部、３１…縦板部、３２…円弧部、３３…支持部、３５…上下移動体、３６…取付腕部、３７…軸、３９…支持軸、４２…案内孔、４３…ローラ、４４…アーム、４５…軸、４６…縦フレーム、４７…軸、４８…歯車、４９…中間軸、５０…中間歯車、５１…チェン、５２…従動歯車、５３…出力歯車、５４…チェン、６０…フレーム、６１…支脚、６５…乗り移り検出スイッチ、６６…進入検出スイッチ、６７…上方待機検出スイッチ、６８…下降検出スイッチ、６９…下方待機検出スイッチ。
【図１】
2012135216.tif 000003
【図２】
2012135216.tif 000004
【図３】
2012135216.tif 000005
【図４】
2012135216.tif 000006
【図５】
2012135216.tif 000007
【図６】
2012135216.tif 000008
【図７】
2012135216.tif 000009
【図８】
2012135216.tif 000010
【図９】
2012135216.tif 000011
【図１０】
2012135216.tif 000012
【図１１】
2012135216.tif 000013
【図１２】
2012135216.tif 000014
【図１３】
2012135216.tif 000015
【図１４】
2012135216.tif 000016
【図１５】
2012135216.tif 000017
【図１６】
2012135216.tif 000018